(57)【要約】【課題】各パッシブセンサを個別に識別可能でありながら、且つ小型に形成できる無線式センサシステムを実現する。【解決手段】親機２０は、パッシブセンサ１０へ励起信号を送信する。パッシブセンサ１０は、励起信号により、感知する物理量Ｔに応じた共振周波数ｆｐの共振信号を発生し、親機２０へ送信する。関連情報記録媒体３０Ａはバーコード等からなり、パッシブセンサ１０の識別ＩＤや患者識別ＩＤ等の関連情報が記録されている。親機２０は、上記計測処理とともに、関連情報記録媒体４０を関連情報読取部２６で読み取り、関連情報を取得する。親機２０は、共振信号を用いて物理量を算出し、当該物理量を関連情報に関連付けして表示する。【選択図】図２
2012008748.tif 000002
【特許請求の範囲】
【請求項１】
外部からの励起信号により、被検知体の発する物理量に応じた周波数の共振信号を出力するセンサ素子を備えたパッシブセンサと、
該パッシブセンサに関連する情報が記録された関連情報記録媒体と、
前記パッシブセンサから無線方式により共振信号を受信して該共振信号に準じて前記物理量を算出し、前記関連情報記録媒体から前記パッシブセンサの関連情報を読み出し、前記パッシブセンサと前記算出された物理量とを関連付けして出力もしくは記録する親機と、
を備え、前記センサ素子と前記関連情報記録媒体が別体とされている、無線式センサシステム。
【請求項２】
請求項１に記載の無線式センサシステムであって、
前記関連情報記録媒体は、光学的方法により認識可能な媒体であり、
前記親機は、光学的読み取り手段を備える、無線式センサシステム。
【請求項３】
請求項２に記載の無線式センサシステムであって、
前記関連情報記録媒体は、一次元シンボルもしくは二次元シンボルによって形成されている、無線式センサシステム。
【請求項４】
請求項１に記載の無線式センサシステムであって、
前記関連情報記録媒体は、ＲＦＩＤ−ＩＣである、無線式センサシステム。
【請求項５】
請求項４に記載の無線式センサシステムであって、
前記親機は、前記センサ素子と前記関連情報記録媒体に対して、単一のアンテナを用いた通信を行う、無線式センサシステム。
【請求項６】
請求項１乃至請求項５のいずれか一項に記載の無線式センサシステムに用いるパッシブセンサであって、
前記関連情報記録媒体は、前記センサ素子と同じベース基材に備えられている、パッシブセンサ。
【請求項７】
請求項４または請求項５のいずれか一項に記載の無線式センサシステムに用いるパッシブセンサであって、
前記関連情報記録媒体は、前記センサ素子と同じベース基材に備えられ、
前記センサ素子と前記関連情報記録媒体との両方に接続する共通のアンテナを備える、パッシブセンサ。
【請求項８】
パッシブセンサにより、被検知体の発する物理量に応じた周波数の共振信号を出力する工程と、
該パッシブセンサに関連する情報が記録された関連情報記録媒体から親機が関連情報を読み出す工程と、
前記親機が前記共振信号に準じて前記物理量を算出する工程と、
前記親機が前記関連情報と前記算出された物理量とを関連付けして出力もしくは記録する工程と、
を有する、物理量計測方法。
【発明の詳細な説明】
【技術分野】
【０００１】
本発明は、物理量を検知して所定信号を発生するパッシブセンサと、パッシブセンサに対して無線通信する親機とを備え、親機側で物理量を算出する無線式センサシステム、および該無線式センサシステムを用いた物理量計測方法に関する。
【背景技術】
【０００２】
従来、所定の物理量（温度、圧力等）を計測するシステムとして、特許文献１に示すように、ＳＡＷ共振子を備えたパッシブセンサを用いたものがある。このようなシステムでは、パッシブセンサの識別のために、ＳＡＷ共振子を構成するセンシング用のＩＤＴ電極に併設して、所定の電極パターンからなるＩＤ識別パターンが形成されている。
【先行技術文献】
【特許文献】
【０００３】
【特許文献１】特開２００３−３１９９１１号公報
【発明の概要】
【発明が解決しようとする課題】
【０００４】
しかしながら、特許文献１に記載のシステムでは、物理量を計測する目的以外に、ＳＡＷ共振子よりも大きな所定面積を必要とするような電極パターンをパッシブセンサに設けなければならない。このため、一文字程度のデータ量ではなく、多くの情報量を含ませる場合には電極パターンを形成する面積が大幅に大きくなってしまう。これにより、パッシブセンサの形状が大きくなってしまう。
【０００５】
したがって、本発明の目的は、各パッシブセンサを個別に識別可能でありながら、且つ小型に形成できる無線式センサシステムを実現することにある。
【課題を解決するための手段】
【０００６】
この発明は、パッシブセンサを用いた無線式センサシステムに関する。この無線式センサシステムでは、パッシブセンサ、関連情報記録媒体、および親機を備える。パッシブセンサは、外部からの励起信号により、被検知体の発する物理量に応じた周波数の共振信号を出力するセンサ素子を備える。関連情報記録媒体には、パッシブセンサに関連する情報が記録されている。親機は、パッシブセンサから無線方式により共振信号を受信して該共振信号に準じて物理量を算出する。親機は、関連情報記録媒体からパッシブセンサの関連情報を読み出し、パッシブセンサと算出された物理量とを関連付けして出力もしくは記録する。そして、センサ素子と関連情報記録媒体とが別体で形成されている。
【０００７】
具体的に、この発明の無線式センサシステムでは、関連情報記録媒体は光学的方法により認識可能な媒体である。さらに、具体的には、関連情報記録媒体はバーコード等の一次元シンボルもしくはＱＲコード（登録商標）等の二次元シンボルによって形成されている。
【０００８】
この構成では、センサ素子毎に別体で、関連情報記録媒体を備えることで、親機によって、センサ素子の関連情報記録媒体の双方にアクセスすれば、センサ素子の出力信号とセンサ素子（パッシブセンサ）を識別するための関連情報とを、関連付けすることができる。これにより、例えば、センサ素子の出力信号に基づいて算出される物理量とセンサ素子で検知を行う被検知体とを関連付けした状態で、出力もしくは記録できる。この際、一次元バーコードや二次元バーコードを用いることで、或程度の情報量（例えば、被検知体が患者であれば、患者ＩＤ等の程度からなる情報量）以上の情報を保持しながら省スペース化が可能になる。
【０００９】
また、この発明の無線式センサシステムでは、関連情報記録媒体は、ＲＦＩＤ−ＩＣである。
【００１０】
この構成では、関連情報記録媒体がＲＦＩＤ−ＩＣとなることで、小型でありながら、さらに多くの関連情報を記録しておくことができる。
【００１１】
また、この発明の無線式センサシステムでは、親機は、センサ素子と関連情報記録媒体に対して、単一のアンテナを用いた通信を行う。
【００１２】
この構成では、親機を小型化することができる。
【００１３】
また、この発明は、無線式センサシステムに用いるパッシブセンサに関する。このパッシブセンサは、関連情報記録媒体がセンサ素子と同じベース基材に備えられている。
【００１４】
この構成では、関連情報記録媒体がパッシブセンサに対して一体に形成されている。これにより、パッシブセンサ（センサ素子）と関連情報記録媒体との関係が分かりやすい。
【００１５】
また、この発明のパッシブセンサは、関連情報記録媒体がセンサ素子と同じベース基材に備えられ、センサ素子と関連情報記録媒体との両方に接続する共通のアンテナを備える。
【００１６】
この構成では、パッシブセンサに関連情報記録媒体を一体に形成しながらも、パッシブセンサを小型化することができる。
【００１７】
また、この発明は、上述の無線式センサシステムを用いた物理量計測方法に関する。この物理量計測方法は、パッシブセンサにより被検知体の発する物理量に応じた周波数の共振信号を出力する工程を有する。物理量計測方法は、パッシブセンサに関連する情報が記録された関連情報記録媒体から親機が関連情報を読み出す。物理量計測方法は、親機が共振信号に準じて物理量を算出する。物理量計測方法は、親機が関連情報と算出された物理量とを関連付けして出力もしくは記録する。
【００１８】
この方法では、物理量とパッシブセンサひいては被検知体との関連性が分かる状態で、物理量を出力もしくは記録することができる。
【発明の効果】
【００１９】
この発明によれば、各パッシブセンサを大型化することなく、各パッシブセンサを個別に識別可能な無線式センサシステムを実現することができる。
【図面の簡単な説明】
【００２０】
【図１】第１の実施形態に係る無線式センサシステム１の構成を示すブロック図である。
【図２】第１の実施形態の無線式センサシステム１を用いた計測方法を示すフローチャートである。
【図３】第２の実施形態に係る無線式センサシステム１’の構成を示すブロック図である。
【図４】第３の実施形態に係る無線式センサシステム１Ａの構成を示すブロック図である。
【図５】パッシブセンサ（ＳＡＷ共振子）のグループ分類概念と特性情報との関係を説明するための図である。
【図６】チャンネルによる帯域分割の概念を示す図である。
【図７】本実施形態に係る計測処理を示すフローチャートである。
【発明を実施するための形態】
【００２１】
本発明の第１の実施形態に係る無線式センサシステムについて、図を参照して説明する。図１は、本実施形態に係る無線式センサシステム１の構成を示すブロック図である。
【００２２】
＜構成説明＞
無線式センサシステム１は、パッシブセンサ１０と親機２０とを備える。パッシブセンサ１０と親機２０とは、電磁界結合もしくは電波の送受信による通信を行う。なお、通信様式は、電磁界結合に限らず、電磁誘導や電波の放射によるものであってもよい。
【００２３】
パッシブセンサ１０は、アンテナ１１、本願の「センサ素子」に対応する水晶振動子１２、バーコード３０を備える。なお、本発明では、センサ素子として、水晶振動子を用いているが、圧電共振子、ＳＡＷ共振子、音叉型共振子等、検知する物理量（温度、磁気強度等）に応じて、共振周波数が変化するものであれば、他のものを用いてもよい。
【００２４】
アンテナ１１は、電磁界結合方式であれば、巻回状に形成されたコイル電極によって実現され、電波の送受波方式であれば、例えばダイポールアンテナによって実現される。いずれの方式であっても、アンテナ１１は、通信に利用する周波数帯域に応じた形状（電極長等）で形成されている。アンテナ１１は、親機２０の親機側アンテナ２４からの励振信号ＳｐＬを受波して、水晶振動子１２へ与える。アンテナ１１は、水晶振動子１２から出力される共振信号Ｓｆｐを外部放射する。この放射された共振信号Ｓｆｐを親機側アンテナ２４で受波することで、共振信号Ｓｆｐは、パッシブセンサ１０のアンテナ１１から親機２０の親機側アンテナ２４へ伝送される。
【００２５】
水晶振動子１２は、例えばＹｓカットで所定厚みに設定された水晶単結晶に電極パターンを形成したものである。そして、厚み等を変化させることで、共振周波数が決定される。
【００２６】
水晶振動子１２は、所定の物理量（本実施形態では温度Ｔを例にする）を感知して、感知した温度Ｔに応じた共振周波数で発振する特性を有する。したがって、上述のように、アンテナ１１から、パルス状の励振信号ＳｐＬを受けると、水晶振動子１２は、感知した温度Ｔに応じた共振周波数で残響共振し、共振信号Ｓｆｐを出力する。共振信号Ｓｆｐは、アンテナ１１へ出力される。
【００２７】
バーコード３０は、本願発明の「関連情報記録媒体」に相当し、アンテナ１１および水晶振動子１２が配設されるパッシブセンサ１０の基材（例えばベース基板）上に水晶振動子とは別体に印刷されている。バーコード３０には、当該パッシブセンサ１０を識別するための情報が記録されている。例えば、バーコード３０には、当該パッシブセンサ１０に対して個別且つ一意に設定された識別ＩＤや、当該パッシブセンサ１０を利用する患者の患者識別ＩＤ等が記録されている。
【００２８】
親機２０は、制御部２１、送信信号生成部２２、送受信部２３、親機側アンテナ２４、計測部２５、関連情報読取部２６、および表示部２７、操作部２８を備える。
【００２９】
制御部２１は、親機２０の全体制御を行うとともに、関連情報読取モード、計測モード（送信モードおよび受信モード）の切り替え等の制御を行う。これらの制御は、例えば操作部２８からの操作入力内容に基づいて実行される。
【００３０】
送信信号生成部２２は、制御部２１からの送信モード開始制御にしたがって、パルス状の励振信号ＳｐＬを生成し、送受信部２３へ出力する。
【００３１】
送受信部２３は、送信信号生成部２２からの励振信号ＳｐＬを親機側アンテナ２４へ出力し、親機側アンテナ２４からの共振信号Ｓｆｐを計測部２５へ出力する。親機側アンテナ２４は、パッシブセンサ１０のアンテナ１０と同様に、仕様に応じて平板状のコイル電極によるアンテナや、ダイポールアンテナによって実現される。
【００３２】
計測部２５は、周波数変換部２５１、物理量検出部２５２、および記憶部２５２を備える。周波数変換部２５１は、共振信号Ｓｆｐを周波数解析し、共振周波数ｆｐを検出する。
【００３３】
記憶部２５３には、温度に対する周波数特性（温度−周波数特性）が記憶されている。
【００３４】
物理量検出部２５２は、前記記憶部２５３からの温度−周波数特性と、周波数変換部２５１からの共振周波数とを比較し、当該共振周波数に対応する温度を読み出すことで、温度Ｔを算出する。
【００３５】
関連情報読取部２６は、光学式読取機（バーコードリーダ等）からなり、パッシブセンサ１０のバーコード３０を読み取り、関連情報を取得する。関連情報読取部２６は、取得した関連情報を計測部２５へ与える。
【００３６】
計測部２５は、算出した温度Ｔと関連情報とを関連付けして、表示部２７へ出力する。例えば、計測部２５は、算出した温度Ｔとパッシブセンサ１０の識別ＩＤとを関連付けして出力する。また、計測部２５は、算出した温度Ｔと患者識別ＩＤとを関連付けして出力する。
【００３７】
表示部２７は、液晶ディスプレイ等からなり、計測部２５で算出された温度と、関連情報（パッシブセンサの識別ＩＤや患者識別ＩＤ）とを、その関連性が分かりやすいように、表示する。例えば、表示部２７は、パッシブセンサの識別ＩＤや患者識別ＩＤと、計測温度とを同じ画面の同じ枠内に表示する。
【００３８】
＜計測処理の説明＞
次に、上述の構成による計測方法について図を参照して説明する。図２は、本実施形態の無線式センサシステムを用いた計測方法を示すフローチャートである。なお、以下の説明では、計測処理前に関連情報の取得をしているが、計測処理後に関連情報を取得してもよい。
【００３９】
まず、親機２０は、関連情報取得モードを開始する（Ｓ１０１）。これにより、親機２０の関連情報読取部２６は、パッシブセンサ１０に印字されたバーコード３０を読み取る（Ｓ１０２）。親機２０の関連情報読取部２６は、バーコード３０に基づいて関連情報を取得する。
【００４０】
次に、親機２０は、計測モードに移行し（Ｓ１０３）、送信モードを開始する（Ｓ１０４）。親機２０は、パルス状の励振信号ＳｐＬを送信する（Ｓ１０５）。親機２０は、励振信号ＳｐＬの送信後、受信モードに切り替わる（Ｓ１０６）。
【００４１】
パッシブセンサ１０は、励振信号ＳｐＬを受信する（図４：Ｓ２０１）。パッシブセンサ１０の水晶振動子１２は、励振信号ＳｐＬで励振し、被検知体である患者の体温に応じた共振周波数で発振し、共振信号Ｓｆｐを出力する（Ｓ２０２）。パッシブセンサ１０は、共振信号Ｓｆｐを送信する（Ｓ２０３）。
【００４２】
親機２０は、共振信号Ｓｆｐを受信し（Ｓ１０７）、当該共振信号Ｓｆｐの周波数解析を行い、共振周波数ｆｐを検出する（Ｓ１０８）。
【００４３】
親機２０は、検出した共振周波数ｆｐと、予め記憶している温度−周波数特性とに基づいて、計測体温を算出する（Ｓ１０９）。
【００４４】
親機２０は、関連情報取得時に取得したパッシブセンサ１０もしくは患者を識別する関連情報と計測体温とを表示する（Ｓ１１０）。
【００４５】
以上のような構成および処理を用いることで、パッシブセンサ１０および患者を個別に識別しながら、温度計測を行うことができる。この際、上述のように、バーコード３０を用いれば、比較的小さな面積において、記号１個や２個ですまない、比較的大きなデータ量の情報を保持することができる。これにより、特許文献１で用いられていた、電極パターンからなるＩＤ識別パターンに対して、パッシブセンサ１０を大きくすることなく、個別識別情報に関連付けられた物理量の無線による計測が可能になる。
【００４６】
なお、上述の実施形態では特に言及していなかったが、バーコード３０は、一次元バーコードや二次元バーコード（例えばＱＲコード（登録商標））を用いれば良い。特に、二次元バーコードを用いれば、パッシブセンサ１０をより小さく形成しながら、より多くの関連情報を記録しておくことができる。
【００４７】
次に、第２の実施形態に係る無線式センサシステムについて、図を参照して説明する。図３は本実施形態に係る無線式センサシステム１’の構成を示すブロック図である。
【００４８】
本実施形態の無線式センサシステム１’では、第１の実施形態に示したバーコード３０と同じ機能を有する関連情報記録媒体３０Ａを、パッシブセンサ１０とは別体で形成している。他の構成は、第１の実施形態に示す無線式センサシステム１と同じである。
【００４９】
このような構成は、具体的には、患者がパッシブセンサ１０を装着しており、関連情報記録媒体３０Ａが患者の寝るベッドに装着されている状況に用いられる。
【００５０】
このような構成であっても、第１の実施形態と同様に、個別識別情報に関連付けられた物理量（本実施形態では患者の体温）の計測を、無線により容易に行うことができる。
【００５１】
さらに、本実施形態の構成を用いれば、パッシブセンサ１０には、体温Ｔの計測に必要な水晶振動子１２と、無線通信用のアンテナ１１とだけを形成すればよい。これにより、パッシブセンサ１０を、さらに小型に、具体的には、計測機能を有する最小の形状に形成することができる。
【００５２】
次に、第３の実施形態に係る無線式センサシステムについて、図を参照して説明する。図４は本実施形態に係る無線式センサシステム１Ａの構成を示すブロック図である。本実施形態の無線式センサシステム１Ａでは、ＳＡＷ共振子１２Ａを用いるとともに、関連情報記録媒体４０としてＲＦＩＤ−ＩＣを用いている。また、本実施形態では、第２の実施形態に示すように、パッシブセンサ１０Ａと関連情報記録媒体４０とは、別体形成されている。したがって、以下では、第１、第２の実施形態と異なる点についてのみ詳細に説明する。
【００５３】
関連情報記録媒体４０は、ＲＦＩＤ−ＩＣがベース基材上に配設されたＲＦＩＤタグによって形成される。ＲＦＩＤタグには、無線通信用のアンテナ（図示せず）が形成されている。ＲＦＩＤ−ＩＣには、関連情報として、上述のパッシブセンサの識別ＩＤや患者識別ＩＤとともに、パッシブセンサの特性情報が記録されている。
【００５４】
ここで、パッシブセンサの特性情報について図５を参照して説明する。図５はパッシブセンサ（ＳＡＷ共振子）のグループ分類概念と特性情報との関係を説明するための図であり、図５（Ａ）がグループ分類概念を示し、図５（Ｂ）が各グループの温度−周波数特性を示す。
【００５５】
パッシブセンサ１０Ａに用いるＳＡＷ共振子１２Ａは、製造プロセスのバラツキにより、共振周波数ｆｐにバラツキが生じる。したがって、単一の温度−周波数特性を用いると、計測体温にも同等のバラツキが生じる。このため、まず、ＳＡＷ共振子１２Ａの共振周波数ｆｐを個別に測定する。次に、計測誤差に基づく周波数誤差幅Δｆｑと、設定した目標周波数とを基準に、周波数誤差幅Δｆｑ毎にグループＧｒＡ−ＧｒＥを設定する。次に、ＳＡＷ共振子１２Ａ単体で測定した共振周波数ｆｐに基づいて、当該ＳＡＷ共振子１２Ａをグループ分類する。
【００５６】
ここで、ＳＡＷ共振子は、図５（Ｂ）に示すように、温度に対して周波数が線形に変化するので、この特性を利用し、各グループＧｒＡ−ＧｒＥに対応させて温度−周波数特性からなる特性情報ＦＴａ−ＦＴｅを設定する。
【００５７】
次に、測定したＳＡＷ共振子１２Ａに応じた特性情報ＦＴ（ＦＴａ−ＦＴｅのいずれか）を、当該ＳＡＷ共振子１２Ａを有するパッシブセンサ１０に対応するＲＦＩＤ−ＩＣへ書き込む。
【００５８】
このような特性情報はデータ量が大きくなるが、ＲＦＩＤ−ＩＣは、このような比較的データ量の大きな情報であっても記憶でき、さらに、同じデータ量であれば、バーコード３０等と比較して大幅に小さくできる。
【００５９】
関連情報記録媒体４０が上述のような構成の場合、親機２０Ａは、次に示す構成を備える。
【００６０】
親機２０Ａは、関連情報読取部２６に替えて、リクエスト信号生成部５１と関連情報解析部５２とを備える。
【００６１】
リクエスト信号生成部５１は、制御部２１Ａから関連情報取得制御を受け付けると、所定周波数からなるリクエスト信号Ｓｒｑを生成し、送受信部２３Ａへ出力する。
【００６２】
送受信部２３Ａには、スイッチ（ＳＷ）２３１が備えられており、関連情報取得時には、リクエスト信号Ｓｒｑを親機側アンテナ２４へ送信する。ここで、図６に示すように、リクエスト信号Ｓｒｑの周波数ｆｒｑと、応答信号Ｓａｎの周波数ｆａｎとを、ＳＡＷ共振子１２の共振周波数と同じ周波数帯域に設定することで、関連情報取得のための通信と、計測のための通信とを、一つの親機側アンテナ２４で実現することができる。図６は、チャンネルによる帯域分割の概念を示す図である。これにより、パッシブセンサ１０Ａおよび親機２０Ａの小型化が可能になる。さらに、図６に示すように、同じ周波数帯域であっても、異なるチャンネル（局部帯域）を用いることで、共振信号Ｓｆｐと、リクエスト信号Ｓｒｑおよび応答信号Ｓａｎとの混信を防止することができる。
【００６３】
また、送受信部２３Ａは、関連情報取得時には応答信号Ｓａｎを受信して、関連情報解析部５２へ出力する。
【００６４】
なお、送受信部２３Ａは、送信モード時には、上述のように送信信号生成部２２からの励起信号ＳｐＬを親機側アンテナ２４へ出力し、親機側アンテナ２４からの共振信号Ｓｆｐを計測部２５へ出力する。
【００６５】
関連情報解析部５２は、応答信号Ｓａｎを解析して、パッシブセンサ１０Ａの特性情報を含む関連情報を取得する。関連情報解析部５２は、関連情報を計測部２５へ出力する。
【００６６】
計測部２５は、関連情報の特性情報ＦＴａ−ＦＴｅと、共振信号Ｓｆｐの共振周波数ｆｐとを用いて温度を算出する。このように、パッシブセンサ１０Ａに個別に設定された特性情報を用いて温度を算出することで、より高精度な体温計測を行うことができる。
【００６７】
次に、本実施形態の構成による計測方法について、図７を用いて説明する。図７は本実施形態に係る計測処理を示すフローチャートである。
【００６８】
まず、親機２０Ａは、計測モードを開始し（Ｓ３０１）、パルス状の励起信号ＳｐＬを送信する（Ｓ３０２）。親機２０Ａは、励起信号ＳｐＬの送信後、受信モードへ切り替わる（Ｓ３０３）。
【００６９】
パッシブセンサ１０Ａは、励振信号ＳｐＬを受信する（Ｓ２０１）。パッシブセンサ１０ＡのＳＡＷ共振子１２Ａは、励振信号ＳｐＬで励振し、被検知体である患者の体温に応じた共振周波数で発振して共振信号Ｓｆｐを出力する（Ｓ２０２）。パッシブセンサ１０Ａは、共振信号Ｓｆｐを送信する（Ｓ２０３）。
【００７０】
親機２０Ａは、共振信号Ｓｆｐを受信し（Ｓ３０４）、当該共振信号Ｓｆｐの周波数解析を行い、共振周波数ｆｐを検出する（Ｓ３０５）。
【００７１】
親機２０Ａは、当該共振周波数ｆｐが、使用周波数帯域のどのチャンネルに該当するかを検出する。さらに、親機２０Ａは、使用周波数帯域の他のチャンネルにおける空き状況をセンシングする（Ｓ３０６）。
【００７２】
親機２０Ａは、検出した空きチャンネルの周波数でリクエスト信号Ｓｒｑを生成し、親機側アンテナ２４から送信する（Ｓ３０７）。
【００７３】
関連情報記録媒体４０は、リクエスト信号Ｓｒｑを受信する（Ｓ４０１）。関連情報記録媒体４０のＲＦＩＤ−ＩＣは、リクエスト信号Ｓｒｑで起動し、自身の関連情報を含む応答信号Ｓａｎを生成する。関連情報記録媒体４０は、応答信号Ｓａｎをアンテナから送信する（Ｓ４０２）。
【００７４】
親機２０Ａは、応答信号Ｓａｎを受信する（Ｓ３０８）。親機２０Ａは、応答信号Ｓａｎを解析し、関連情報であるパッシブセンサ１０Ａの識別ＩＤ、患者識別ＩＤ、特性情報ＦＴを取得する（Ｓ３０９）。
【００７５】
親機２０Ａは、検出した共振周波数ｆｐと、取得した特性情報ＦＴとに基づいて、体温を算出する（Ｓ３１０）。
【００７６】
親機２０Ａは、識別ＩＤや患者識別ＩＤとともに計測体温を表示する（Ｓ３１１）。
【００７７】
このような構成および方法であっても、パッシブセンサや被検知体を識別する情報に関連付けられた物理量の無線による計測が可能になる。さらに、本実施形態のように、ＲＦＩＤ−ＩＣを用いることで、さらに多くの関連情報を物理量とともに提供することができる。
【００７８】
なお、本実施形態では、ＲＦＩＤ−ＩＣを備える関連情報記録媒体４０を、パッシブセンサ１０Ａと別体で形成する例を示したが、ＲＦＩＤ−ＩＣをパッシブセンサ１０Ａに実装してもよい。
【００７９】
この場合、パッシブセンサ１０Ａのベース基材上にＲＦＩＤ−ＩＣを実装し、アンテナ１１に接続する構成を用いればよい。このような構成であっても、ＲＦＩＤ−ＩＣは小さいので、パッシブセンサ１０Ａを比較的小型にしながら、関連情報に関連付けして物理量の計測を行うことができる。さらに、ＳＡＷ共振子１２ＡとＲＦＩＤ−ＩＣとで、アンテナ１１を共有することで、さらにパッシブセンサ１０Ａを小型化することができる。
【００８０】
なお、上述の説明では、関連情報と物理量を関連付けして表示する例を具体的に示したが、これらの情報を、所定の記憶媒体に記憶しても良い。このような計測、記憶処理を定期的に実行することで、例えば、上述の患者の体温を計測するような場合であれば、記憶媒体に、患者毎の体温を容易に且つ統計的に記憶することができる。
【符号の説明】
【００８１】
１，１Ａ−無線式センサシステム、１０，１０Ａ−パッシブセンサ、１１−アンテナ、１２−水晶振動子、１２Ａ−ＳＡＷ共振子、２０，２０Ａ−親機、２１，２１Ａ−制御部、２２−送信信号生成部、２３，２３Ａ−送受信部、２４−親機側アンテナ、２５−計測部、２５１−周波数変換部、２５２−物理量検出部、２５３−記憶部、２６−関連情報読取部、２７−表示部、２８−操作部、３０−バーコード、３０Ａ，４０−関連情報記録媒体、５１−リクエスト信号生成部、５２−関連情報解析部、
【図１】
2012008748.tif 000003
【図２】
2012008748.tif 000004
【図３】
2012008748.tif 000005
【図４】
2012008748.tif 000006
【図５】
2012008748.tif 000007
【図６】
2012008748.tif 000008
【図７】
2012008748.tif 000009